(57)【要約】      （修正有）【課題】冷却熱交換器の熱量が室内熱交換器の必要熱量を超える場合に、暖房能力の低下を防止する。【解決手段】冷凍装置（1）は、圧縮機（2）と、室外熱交換器（4）と、膨張機構と、室内を空調するための室内熱交換器（41）と、庫内を冷却するための冷却熱交換器（45，51）とが接続された冷媒回路（1E）を備えている。冷媒回路（1E）は、圧縮機（2）から吐出された冷媒のうち、室内熱交換器（41）と室外熱交換器（4）とに分配する冷媒の流量を可変にする吐出側三方切換弁（101）を設けている。室内熱交換器（41）及び室外熱交換器（4）の双方が凝縮器となる第２暖房冷凍運転時に、室内空気温度と設定室内温度との差温が所定値になるように室内熱交換器（41）と室外熱交換器（4）とに分配される冷媒の流量を調整するために吐出側三方切換弁（101）を制御する分配制御部（82）を備えている。【選択図】  図１
2007232265.tif 000002
【特許請求の範囲】
【請求項１】
圧縮機（2）と、熱源側熱交換器（4）と、膨張機構（46，52，104）と、室内を空調するための空調熱交換器（41）と、庫内を冷却するための冷却熱交換器（45，51）とが接続された冷媒回路（1E）を備える冷凍装置であって、
上記冷媒回路（1E）に設けられ、上記圧縮機（2）から吐出して上記空調熱交換器（41）と熱源側熱交換器（4）とに分配される冷媒の流量を可変にする流量調整手段（101，104）と、
上記空調熱交換器（41）及び熱源側熱交換器（4）の双方が凝縮器となる熱回収運転時に、室内空気温度と設定室内温度との差温が所定値になるように上記空調熱交換器（41）と熱源側熱交換器（4）とに分配される冷媒の流量を調整するために上記流量調整手段（101，104）を制御する分配制御手段（82）とを備えている
ことを特徴とする冷凍装置。
【請求項２】
圧縮機（2）と、熱源側熱交換器（4）と、膨張機構（46，52，104）と、室内を空調するための空調熱交換器（41）と、庫内を冷却するための冷却熱交換器（45，51）とが接続された冷媒回路（1E）を備える冷凍装置であって、
上記冷媒回路（1E）に設けられ、上記圧縮機（2）から吐出して上記空調熱交換器（41）と熱源側熱交換器（4）とに分配される冷媒の流量を可変にする流量調整手段（101，104）と、
上記空調熱交換器（41）及び熱源側熱交換器（4）の双方が凝縮器となる熱回収運転時に、上記冷媒回路（1E）の高圧冷媒圧力又は上記冷媒回路（1E）の液冷媒温度が所定値になるように上記空調熱交換器（41）と熱源側熱交換器（4）とに分配される冷媒の流量を調整するために上記流量調整手段（101，104）を制御する分配制御手段（82）とを備えている
ことを特徴とする冷凍装置。
【請求項３】
請求項１又は２において、
上記空調熱交換器（41）のみが凝縮器となる熱回収運転時と空調熱交換器（41）及び熱源側熱交換器（4）の双方が凝縮器となる熱回収運転時とに、上記冷却熱交換器（45，51）の冷媒温度と設定庫内温度との差温が所定値になるように上記冷媒回路（1E）の冷凍能力を制御する能力制御手段（81）を備えている
ことを特徴とする冷凍装置。
【請求項４】
請求項１又は２において、
上記空調熱交換器（41）のみが凝縮器となる熱回収運転時と空調熱交換器（41）及び熱源側熱交換器（4）の双方が凝縮器となる熱回収運転時とに、上記冷却熱交換器（45，51）の冷媒圧力相当飽和温度と設定庫内温度との差温が所定値になるように上記冷媒回路（1E）の冷凍能力を制御する能力制御手段（81）を備えている
ことを特徴とする冷凍装置。
【請求項５】
請求項１又は２において、
上記空調熱交換器（41）のみが凝縮器となる熱回収運転時と空調熱交換器（41）及び熱源側熱交換器（4）の双方が凝縮器となる熱回収運転時とに、上記冷却熱交換器（45，51）の吸込空気温度と設定庫内温度との差温が所定値になるように上記冷媒回路（1E）の冷凍能力を制御する能力制御手段（81）を備えている
ことを特徴とする冷凍装置。
【請求項６】
請求項４〜６の何れか１項において、
上記能力制御手段（81）は、圧縮機（2）の容量を制御するように構成されている
ことを特徴とする冷凍装置。
【請求項７】
請求項４〜６の何れか１項において、
上記圧縮機（2）の吐出側と吸入側とで冷媒をバイパスさせる補助通路（90）が設けられ、
上記能力制御手段（81）は、補助通路（90）の冷媒流量を制御するように構成されている
ことを特徴とする冷凍装置。
【請求項８】
請求項４〜６の何れか１項において、
上記能力制御手段（81）は、上記冷却熱交換器（45，51）の冷却ファン（47，58）の風量を制御するように構成されている
ことを特徴とする冷凍装置。
【請求項９】
請求項１又は２において、
上記空調熱交換器（41）のみが凝縮器となる熱回収運転時から空調熱交換器（41）及び熱源側熱交換器（4）の双方が凝縮器となる熱回収運転に切り換える前に、空調熱交換器（41）の空調ファン（43）の風量を増大させる補助制御手段（83）を備えている
ことを特徴とする冷凍装置。
【請求項１０】
請求項１又は２において、
上記空調熱交換器（41）のみが凝縮器となる熱回収運転時から空調熱交換器（41）及び熱源側熱交換器（4）の双方が凝縮器となる熱回収運転に切り換える前に、室内の換気扇を運転させる補助制御手段（83）を備えている
ことを特徴とする冷凍装置。
【発明の詳細な説明】
【技術分野】
【０００１】
本発明は、冷凍装置に関し、特に、空調熱交換器と冷却熱交換器とを備えた冷凍装置に係るものである。
【背景技術】
【０００２】
従来より、冷凍サイクルを行う冷凍装置が知られており、室内を冷暖房する空調機や、食品等を貯蔵する冷蔵庫などの冷却機として広く利用されている。この冷凍装置には、空調と冷蔵との両方を行うものがあり、例えば、空調熱交換器及び冷却熱交換器などの複数の利用側熱交換器を備え、コンビニエンスストアなどに設置されている。この冷凍装置は、１つの冷凍装置を設置するだけで、店内の空調とショーケースなどの冷却との両方を行うことができる（例えば、特許文献１及び２参照）。
【０００３】
上記従来の冷凍装置では、空調の暖房時において、ショーケースなどの冷却熱交換器で吸収した熱量を空調熱交換器で有効利用することができる。
【特許文献１】特許第３２５３２８３号公報
【特許文献２】特開２００３−７５０２２号公報
【発明の開示】
【発明が解決しようとする課題】
【０００４】
しかしながら、上記従来の冷凍装置では、冷却熱交換器で吸収した熱量が空調熱交換器で必要な熱量を超える場合、冷凍装置の冷媒回路の圧縮機の吐出圧が高くなりすぎるので、余った熱を排出する必要がある。このような場合、従来、圧縮機の吐出管に設けた四路切換弁によって冷媒の流れる方向を切り換えて、圧縮機の吐出側の冷媒を熱源側熱交換器に流し、余った熱を排出する。このとき、単に四路切換弁によって冷媒の流れる方向を切り換えているだけのため、熱源側熱交換器に流す冷媒流量の微調整ができず、圧縮機の吐出圧が下がりすぎて暖房能力が低下し、快適な空調が行えないという問題があった。
【０００５】
本発明は、かかる点に鑑みてなされたものであり、その目的とするところは、冷却熱交換器で得られた熱量が空調熱交換器で必要な熱量を超える場合に、圧縮機の吐出圧を下げすぎずに、余った熱を排出することにある。
【課題を解決するための手段】
【０００６】
上記の目的を達成するために、この発明は、圧縮機（2）から吐出された冷媒を熱源側熱交換器（4）と空調熱交換器（41）とに調整可能に分配する流量調整手段（101，104）と分配量を制御する分配制御手段（82）とを設けている。
【０００７】
具体的に、第１の発明は、圧縮機（2）と、熱源側熱交換器（4）と、膨張機構（46，52，104）と、室内を空調するための空調熱交換器（41）と、庫内を冷却するための冷却熱交換器（45，51）とが接続された冷媒回路（1E）を備える冷凍装置を対象としている。そして、上記冷媒回路（1E）には、上記圧縮機（2）から吐出して上記空調熱交換器（41）と熱源側熱交換器（4）とに分配される冷媒の流量を可変にする流量調整手段（101，104）が設けられている。加えて、上記空調熱交換器（41）及び熱源側熱交換器（4）の双方が凝縮器となる熱回収運転時に、室内空気温度と設定室内温度との差温が所定値になるように上記空調熱交換器（41）と熱源側熱交換器（4）とに分配される冷媒の流量を調整するために上記流量調整手段（101，104）を制御する分配制御手段（82）を備えている。
【０００８】
また、第２の発明は、圧縮機（2）と、熱源側熱交換器（4）と、膨張機構（46，52，104）と、室内を空調するための空調熱交換器（41）と、庫内を冷却するための冷却熱交換器（45，51）とが接続された冷媒回路（1E）を備える冷凍装置を対象としている。そして、上記冷媒回路（1E）には、上記圧縮機（2）から吐出して上記空調熱交換器（41）と熱源側熱交換器（4）とに分配される冷媒の流量を可変にする流量調整手段（101，104）が設けられている。加えて、上記空調熱交換器（41）及び熱源側熱交換器（4）の双方が凝縮器となる熱回収運転時に、上記冷媒回路（1E）の高圧冷媒圧力上記冷媒回路（1E）の液冷媒温度が所定値になるように上記空調熱交換器（41）と熱源側熱交換器（4）とに分配される冷媒の流量を調整するために上記流量調整手段（101，104）を制御する分配制御手段（82）を備えている。
【０００９】
つまり、上記第１及び第２の発明では、空調熱交換器（41）及び熱源側熱交換器（4）の双方が凝縮器となる熱回収運転時に冷却熱交換器（45，51）で吸収した熱量が空調熱交換器（41）で必要な熱量を超える場合、冷媒回路（1E）の圧縮機（2）の吐出圧が高くなりすぎるので、余った熱を排出する必要がある。このとき、上記流量調整手段（101，104）が、冷却熱交換器（45，51）で吸収した熱量と空調熱交換器（41）で必要な熱量とのバランスに合わせて、圧縮機（2）から吐出された冷媒を空調熱交換器（41）と熱源側熱交換器（4）とに適量に分配する。
【００１０】
そして、第１の発明では、上記分配制御手段（82）が上記空調熱交換器（41）と熱源側熱交換器（4）とに分配される冷媒の流量を調整して室内空気温度と設定室内温度との差温が所定値になるように上記流量調整手段（101，104）を制御する。
【００１１】
また、第２の発明では、上記分配制御手段（82）が上記空調熱交換器（41）と熱源側熱交換器（4）とに分配される冷媒の流量を調整して上記冷媒回路（1E）の高圧冷媒圧力又は上記冷媒回路（1E）の液冷媒温度が所定値になるように上記流量調整手段（101，104）を制御する。
【００１２】
また、第３の発明は、上記第１又は第２の発明において、上記空調熱交換器（41）のみが凝縮器となる熱回収運転時と空調熱交換器（41）及び熱源側熱交換器（4）の双方が凝縮器となる熱回収運転時とに、上記冷却熱交換器（45，51）の冷媒温度と設定庫内温度との差温が所定値になるように上記冷媒回路（1E）の冷凍能力を制御する能力制御手段（81）を備えている。
【００１３】
また、第４の発明は、上記第１又は第２の発明において、上記空調熱交換器（41）のみが凝縮器となる熱回収運転時と空調熱交換器（41）及び熱源側熱交換器（4）の双方が凝縮器となる熱回収運転時とに、上記冷却熱交換器（45，51）の冷媒圧力相当飽和温度と設定庫内温度との差温が所定値になるように上記冷媒回路（1E）の冷凍能力を制御する能力制御手段（81）を備えている。
【００１４】
また、第５の発明は、上記第１又は第２の発明において、上記空調熱交換器（41）のみが凝縮器となる熱回収運転時と空調熱交換器（41）及び熱源側熱交換器（4）の双方が凝縮器となる熱回収運転時とに、上記冷却熱交換器（45，51）の吸込空気温度と設定庫内温度との差温が所定値になるように上記冷媒回路（1E）の冷凍能力を制御する能力制御手段（81）を備えている。
【００１５】
つまり、上記第３〜第５の発明では、上記冷却熱交換器（45，51）の低圧冷媒圧力が重要であることから、能力制御手段（81）が冷媒回路（1E）の冷凍能力を制御する。
【００１６】
具体的に、第３の発明では、上記能力制御手段（81）が冷却熱交換器（45，51）の冷媒温度と設定庫内温度との差温が所定値になるように冷媒回路（1E）を制御する。例えば、上記冷却熱交換器（45，51）の冷媒温度Ｔeが設定庫内温度Ｔsetより１０°低くなるようにする（Ｔset−Ｔe＝１０）。
【００１７】
また、上記第４の発明では、上記能力制御手段（81）が冷却熱交換器（45，51）の冷媒圧力相当飽和温度と設定庫内温度との差温が所定値になるように冷媒回路（1E）を制御する。例えば、上記冷却熱交換器（45，51）の冷媒圧力Ｐeの相当飽和温度が設定庫内温度Ｔsetより１０°低くなるようにする（Ｔset−Ｐeの相当飽和温度＝１０）。
【００１８】
また、上記第５の発明では、上記能力制御手段（81）が冷却熱交換器（45，51）の吸込空気温度と設定庫内温度との差温が所定値になるように冷媒回路（1E）する。例えば、上記冷却熱交換器（45，51）の吸込空気温度Ｔrが設定庫内温度Ｔsetになるようにする（Ｔset−Ｔr＝０）。
【００１９】
また、第６の発明は、上記第４〜第６の発明の何れか１において、上記能力制御手段（81）が圧縮機（2）の容量を制御するように構成されている。
【００２０】
また、第７の発明は、上記第４〜第６の発明の何れか１において、上記圧縮機（2）の吐出側と吸入側とで冷媒をバイパスさせる補助通路（90）が設けられ、上記能力制御手段（81）が補助通路（90）の冷媒流量を制御するように構成されている。
【００２１】
また、第８の発明は、上記第４〜第６の発明の何れか１において、上記能力制御手段（81）が上記冷却熱交換器（45，51）の冷却ファン（47，58）の風量を制御するように構成されている。
【００２２】
つまり、上記第６〜第８の発明では、圧縮機（2）の容量、バイパス冷媒量又は冷却ファン（47，58）の風量によって冷媒回路（1E）の冷凍能力を制御する。
【００２３】
また、第９の発明は、上記第１又は第２の発明において、上記空調熱交換器（41）のみが凝縮器となる熱回収運転時から空調熱交換器（41）及び熱源側熱交換器（4）の双方が凝縮器となる熱回収運転に切り換える前に、空調熱交換器（41）の空調ファン（43）の風量を増大させる補助制御手段（83）を備えている。
【００２４】
つまり、上記第９の発明では、暖房能力が余る場合に空調ファン（43）の風量を増大させる。
【００２５】
また、第１０の発明は、上記第１又は第２の発明において、上記空調熱交換器（41）のみが凝縮器となる熱回収運転時から空調熱交換器（41）及び熱源側熱交換器（4）の双方が凝縮器となる熱回収運転に切り換える前に、室内の換気扇を運転させる補助制御手段（83）を備えている。
【００２６】
つまり、上記第１０の発明では、暖房能力が余る場合に換気扇を運転させる。
【発明の効果】
【００２７】
以上説明したように、上記第１及び第２の発明は、流量調整手段（101）が、圧縮機（2）から吐出された冷媒を空調熱交換器（41）と熱源側熱交換器（4）とに流量を調整して分配している。このため、熱回収運転時に冷却熱交換器（45，51）で吸収した熱量のうち、空調熱交換器（41）で必要な熱量のみを空調熱交換器（41）に供給し、余った熱量を熱源側熱交換器（4）で排出することができる。
【００２８】
したがって、圧縮機（2）の吐出冷媒圧力を下げすぎることはないので、快適な空調を行うことができる。
【００２９】
また、上記冷却熱交換器（45，51）で吸収した熱を適切に回収できるため、熱効率を格段に向上させることができる。
【００３０】
また、上記空調熱交換器（41）と熱源側熱交換器（4）との冷媒分配量を制御するので、空調熱交換器（41）の能力の微調整を行うことができることから、より快適な空調を行うことができる。
【００３１】
また、上記第３〜第８の発明は、熱回収運転時における冷媒回路（1E）の冷凍能力を制御するので、冷却熱交換器（45，51）の低圧冷媒圧力を確実に所定値に保つことができることから、冷却熱交換器（45，51）の能力を確実に発揮させることができる。
【００３２】
また、上記第９及び第１０の発明は、空調熱交換器（41）のみが凝縮器となる熱回収運転を可能な限り継続させることができる。
【発明を実施するための最良の形態】
【００３３】
以下、本発明の実施形態を図面に基づいて説明する。
【００３４】
《実施形態１》
図１に示すように、本実施形態に係る冷凍装置（1）は、コンビニエンスストアやスーパーマーケットに設けられ、庫内であるショーケース（図示せず）の冷却と室内である店内の冷暖房とを行うためのものである。
【００３５】
上記冷凍装置（1）は、室外ユニット（1A）と室内ユニット（1B）と冷蔵ユニット（1C）と冷凍ユニット（1D）とを有し、蒸気圧縮式冷凍サイクルを行う冷媒回路（1E）を備えている。また、この冷媒回路（1E）は、ブースタユニット（1F）を備えている。冷媒回路（1E）は、冷蔵及び冷凍用の第１系統側回路と、空調用の第２系統側回路とを備えている。そして、上記冷媒回路（1E）は、冷房サイクルと暖房サイクルとに切り換わるように構成されている。
【００３６】
上記室内ユニット（1B）は、冷房運転と暖房運転とを切り換えて行うように構成され、例えば、売場などに設置される。また、上記冷蔵ユニット（1C）は、冷蔵用のショーケースに設置されて該ショーケースの庫内空気を冷却する。上記冷凍ユニット（1D）は、冷凍用のショーケースに設置されて該ショーケースの庫内空気を冷却する。
【００３７】
〈室外ユニット〉
上記室外ユニット（1A）は、インバータ圧縮機（2）と、四路切換弁（3A）と、流量調整手段としての吐出側三方切換弁（101）と、吸入側三方切換弁（102）と、熱源側熱交換器である室外熱交換器（4）と、エコノマイザー用熱交換器（103）とを備えている。
【００３８】
上記インバータ圧縮機（2）は、例えば、密閉型のスクリュー圧縮機で構成され、電動機がインバータ制御されて容量が段階的又は連続的に可変となるように構成されている。上記インバータ圧縮機（2）の吐出管（5）は、吐出側三方切換弁（101）の第１ポートに接続されている。インバータ圧縮機（2）の運転容量制御は、常時、第１系統側回路側の冷媒圧力が一定になるように制御される。室内熱交換器（41）及び室外熱交換器（4）が凝縮器となる熱回収運転時には、室内熱交換器（41）内の圧力を一定にするように、制御される。なお、インバータ圧縮機（2）はスクロール圧縮機で構成してもよい。
【００３９】
上記室外熱交換器（4）のガス側端部（インバータ圧縮機（2）側端部）は、室外ガス管（9）によって、上記吐出側三方切換弁（101）の第２ポートから延びる配管及び四路切換弁（3A）の第２ポートから延びる配管の接続部に接続されている。上記室外熱交換器（4）の液側端部には、開度調整自在な電動膨張弁よりなる暖房用膨張弁（104）が設けられ、更にこの暖房用膨張弁（104）に液ラインである第１液管（10a）の一端と第２液管（10b）の一端とが接続されている。暖房用膨張弁（104）は、室外熱交換器（4）が蒸発器となる暖房時に冷媒が減圧される。その制御は、後述する吸入温度センサ（67）によって得られたインバータ圧縮機（2）の吸入加熱度に基づいて行われる。第１液管（10a）は、レシーバ（14）入口に接続されている。第２液管（10b）には、上記エコノマイザー用熱交換器（103）の第１流路（105）が接続されている。
【００４０】
尚、上記室外熱交換器（4）は、例えば、クロスフィン式のフィン・アンド・チューブ型熱交換器であって、熱源ファンである室外ファン（4F）が近接して配置されている。
【００４１】
上記インバータ圧縮機（2）の吸入管（6）は、吸入側三方切換弁（102）の第１ポートに接続されている。吸入側三方切換弁（102）の第３ポートは、閉鎖弁（20）を介して低圧ガス管（15）に接続されている。
【００４２】
上記四路切換弁（3A）の第１ポートは、吐出側三方切換弁（101）の第３ポートから延びる配管及び後述する連通管（21）の接続部に接続されている。四路切換弁（3A）の第３ポートから延びる配管は、吸入側三方切換弁（102）の第２ポートに接続されている。四路切換弁（3A）の第４ポートから延びる配管には、閉鎖弁（20）を介して連絡ガス管（17）が接続されている。
【００４３】
上記四路切換弁（3A）は、吐出側三方切換弁（101）の第３ポートから延びる配管及び連通管（21）の接続部と連絡ガス管（17）とが連通し、且つ室外ガス管（9）及び吐出側三方切換弁（101）の第２ポートから延びる配管の接続部と吸入側三方切換弁（102）の第２ポートから延びる配管とが連通するＯＮ状態（図２実線参照）と、吐出側三方切換弁（101）の第３ポートから延びる配管及び連通管（21）の接続部と室外ガス管（9）とが連通し、且つ連絡ガス管（17）と吸入側三方切換弁（102）の第２ポートから延びる配管とが連通するＯＦＦ状態（図２破線参照）とに切り換わるように構成されている。
【００４４】
上記連絡ガス管（17）と低圧ガス管（15）と接続液管（19）とは、室外ユニット（1A）から外部に延長され、上記室外ユニット（1A）内に閉鎖弁（20）がそれぞれ設けられている。
【００４５】
上記エコノマイザー用熱交換器（103）は、第１流路（105）と第２流路（106）とを備えている。第１流路（105）の一端から延びる配管は上記レシーバ（14）の出口に接続され、他端は上記接続液管（19）及びレシーバ（14）の入口から延びる配管の接続部に接続されている。第２流路（106）の一端は逆止弁（7）を介してインバータ圧縮機（2）の中間圧力部（図示せず）に接続され、他端はエコノマイザー用電動膨張弁（107）を介してレシーバ（14）の入口から接続液管（19）に向かって延びる配管の接続部に接続されている。このように構成することで、レシーバ（14）の出口から出てきた液冷媒が、一度エコノマイザー用熱交換器（103）の第１流路（105）を通過した後、エコノマイザー用電動膨張弁（107）で減圧され、第２流路（106）を通過中に上記第１流路（105）内の冷媒によって、低圧状態で過冷却された後、この低圧冷媒がインバータ圧縮機（2）の中間圧力部に導かれるように構成されている。エコノマイザー用電動膨張弁（107）の制御は、過冷却度とインバータ圧縮機（2）の吐出管（5）の冷媒温度に合わせて行われる。なお、上記逆止弁（7）によってインバータ圧縮機（2）の中間圧力部からの冷媒の逆流が防がれる。この過冷却された低圧冷媒がインバータ圧縮機（2）の中間圧力部に導かれることで、インバータ圧縮機（2）の過熱が防止される。
【００４６】
上記レシーバ（14）の入口における第１液管（10a）側とエコノマイザー用熱交換器（103）の第１流路（105）側とには、それぞれ逆止弁（7）が設けられ、レシーバ（14）の入口に向かってのみ冷媒が流れるように構成されている。また、レシーバ（14）の入口から延びる配管とエコノマイザー用熱交換器（103）の第１流路（105）側との間には、凝縮圧力調整弁（108）が設けられている。この凝縮圧力調整弁（108）によって、暖房運転時で外気温度が低いときに、第１系統側回路の冷媒不足が防止される。
【００４７】
上記四路切換弁（3A）の第１ポートから延びる配管及び吐出側三方切換弁（101）の第３ポートから延びる配管の接続部と接続液管（19）からレシーバ（14）に向かって延びる配管との間には、補助ラインである連通管（21）が接続されている。この連通管（21）には、バネ付逆止弁（109）が設けられている。バネ付逆止弁（109）は、通常は作動せず、運転停止時にレシーバ（14）が液状の冷媒で満タンのとき、各バルブを閉じたときの液漏れを防止するように構成されている。
【００４８】
〈室内ユニット〉
上記室内ユニット（1B）は、室内熱交換器（41）と膨張機構である室内膨張弁（42）とを備えている。上記室内熱交換器（41）のガス側は、連絡ガス管（17）が接続されている。一方、上記室内熱交換器（41）の液側は、室内膨張弁（42）を介して第２連絡液管（12）が接続され、この第２連絡液管（12）が室外ユニット（1A）に延びる接続液管（19）に接続されている。なお、上記室内熱交換器（41）は、例えば、クロスフィン式のフィン・アンド・チューブ型熱交換器であって、空調ファンである室内ファン（43）が近接して配置されている。また、上記室内ユニット（1B）は、図１で１台のみ示しているが、複数台の室内ユニット（1B）が互いに並列に接続されていてもよい。
【００４９】
〈冷蔵ユニット〉
上記冷蔵ユニット（1C）は、冷却熱交換器である冷蔵熱交換器（45）と膨張機構である冷蔵膨張弁（46）とを備えている。上記冷蔵熱交換器（45）の液側は、電磁弁（7a）及び冷蔵膨張弁（46）を介して第１連絡液管（11）が接続されている。一方、上記冷蔵熱交換器（45）のガス側は、低圧ガス管（15）が接続されている。
【００５０】
上記冷蔵熱交換器（45）は、低圧ガス管（15）を介して吸入側三方切換弁（102）の第３ポートに連通する一方、上記室内熱交換器（41）は、冷房運転時に連絡ガス管（17）を介して吸入側三方切換弁（102）の第２ポートに連通する。上記吸入側三方切換弁（102）の流量調整により、冷蔵熱交換器（45）の冷媒圧力（蒸発圧力）は室内熱交換器（41）の冷媒圧力（蒸発圧力）より低くなる。この結果、上記冷蔵熱交換器（45）の冷媒蒸発温度は、例えば、−１０℃となり、室内熱交換器（41）の冷媒蒸発温度は、例えば、＋５℃となって冷媒回路（1E）が異温度蒸発の回路を構成している。
【００５１】
なお、上記冷蔵膨張弁（46）は、感温式膨張弁であって、感温筒が冷蔵熱交換器（45）のガス側に取り付けられている。上記冷蔵熱交換器（45）は、例えば、クロスフィン式のフィン・アンド・チューブ型熱交換器であって、冷却ファンである冷蔵ファン（47）が近接して配置されている。
【００５２】
〈冷凍ユニット〉
上記冷凍ユニット（1D）は、冷却熱交換器である冷凍熱交換器（51）と膨張機構である冷凍膨張弁（52）とを備えている。上記冷凍熱交換器（51）の液側は、第１連絡液管（11）より分岐した分岐液管（13）が電磁弁（7b）及び冷凍膨張弁（52）を介して接続されている。
【００５３】
なお、上記冷凍膨張弁（52）は、感温式膨張弁であって、感温筒が冷凍熱交換器（51）のガス側に取り付けられている。上記冷凍熱交換器（51）は、例えば、クロスフィン式のフィン・アンド・チューブ型熱交換器であって、冷却ファンである冷凍ファン（58）が近接して配置されている。
【００５４】
〈ブースタユニット〉
上記ブースタユニット（1F）は、ブースタ圧縮機（53）と過冷却用熱交換器（210）とを備えている。
【００５５】
上記ブースタ圧縮機（53）は、冷凍熱交換器（51）の冷媒蒸発温度が冷蔵熱交換器（45）の冷媒蒸発温度より低くなるようにインバータ圧縮機（2）との間で冷媒を２段圧縮している。上記冷凍熱交換器（51）の冷媒蒸発温度は、例えば、−４０℃に設定されている。
【００５６】
上記冷凍熱交換器（51）のガス側とブースタ圧縮機（53）の吸込側とは、接続ガス管（54）によって接続されている。該ブースタ圧縮機（53）の吐出側には、低圧ガス管（15）より分岐した分岐ガス管（16）が接続されている。該分岐ガス管（16）には、逆止弁（7）とオイルセパレータ（55）とが設けられている。該オイルセパレータ（55）と接続ガス管（54）との間には、キャピラリチューブを有する油戻し管（57）が接続されている。
【００５７】
また、上記ブースタ圧縮機（53）の吸込側である接続ガス管（54）とブースタ圧縮機（53）の吐出側である分岐ガス管（16）の逆止弁（7）の下流側との間には、逆止弁（7）を有するバイパス管（59）が接続されている。該バイパス管（59）は、ブースタ圧縮機（53）の故障などの停止時に該ブースタ圧縮機（53）をバイパスして冷媒が流れるように構成されている。
【００５８】
上記過冷却用熱交換器（210）は、いわゆるプレート式熱交換器によって構成されている。過冷却用熱交換器（210）には、第１流路（211）と第２流路（212）とが複数ずつ形成されている。上記第１連絡液管（11）から第３連絡液管（18）が分岐している。上記過冷却用熱交換器（210）の第１流路（211）は、上記第１連絡液管（11）の一部を構成している。第２流路（212）は、上記第３連絡液管（18）の一部を構成している。
【００５９】
上記第３連絡液管（18）における第１連絡液管（11）との分岐点から第２流路（212）までの間には、過冷却用膨張弁（223）が設けられている。この過冷却用膨張弁（223）は、感温式膨張弁によって構成されており、感温筒が第２流路（212）の反対側に取り付けられている。
【００６０】
そして、上記過冷却用熱交換器（210）は、過冷却用膨張弁（223）が開いたときに、第１流路（211）を流れる冷媒と、第２流路（212）を流れる冷凍装置（10）の冷媒とを熱交換させる。この第１流路（211）を流れて過冷却された冷媒が第１連絡液管（11）を通って冷蔵熱交換器（45）と冷凍熱交換器（51）とに流れるように構成されている。
【００６１】
〈制御系統〉
上記冷媒回路（1E）には、各種センサ及び各種スイッチが設けられている。上記室外ユニット（1A）の吐出側三方切換弁（101）の第３ポートの近傍には、高圧冷媒圧力を検出する高圧圧力センサ（61）が設けられている。インバータ圧縮機（2）には、高圧冷媒温度を検出する吐出温度センサ（62）が設けられている。
【００６２】
上記インバータ圧縮機（2）の吸入管（6）の近傍には、低圧冷媒圧力を検出する低圧圧力センサ（65，66）と、低圧冷媒温度を検出する吸入温度センサ（67）とが設けられている。
【００６３】
また、上記室外ユニット（1A）には、室外空気温度を検出する外気温センサ（70）が設けられている。
【００６４】
上記室内熱交換器（41）には、室内熱交換器（41）における冷媒温度である凝縮温度又は蒸発温度を検出する室内熱交換センサ（71）が設けられると共に、ガス側にガス冷媒温度を検出するガス温センサ（72）が設けられている。また、上記室内ユニット（1B）には、室内空気温度を検出する室温センサ（73）が設けられている。
【００６５】
上記冷蔵ユニット（1C）には、冷蔵用のショーケース内の庫内温度を検出する冷蔵温度センサ（74）が設けられている。上記冷凍ユニット（1D）には、冷凍用のショーケース内の庫内温度を検出する冷凍温度センサ（75）が設けられている。つまり、上記冷蔵温度センサ（74）及び冷凍温度センサ（75）は、冷蔵熱交換器（45）及び冷凍熱交換器（51）の吸込空気温度を検出するように構成されている。
【００６６】
上記各種センサ及び各種スイッチの出力信号は、コントローラ（80）（図１にのみ示す）に入力されている。該コントローラ（80）は、インバータ圧縮機（2）の容量などを制御するように構成されている。
【００６７】
また、上記コントローラ（80）は、冷媒回路（1E）の運転を制御し、冷房運転と冷凍運転と冷房冷凍運転と暖房運転と第１乃至第３暖房冷凍運転とを切り換えて制御するように構成されている。
【００６８】
上記コントローラ（80）の制御により、上記吐出側三方切換弁（101）は、室外熱交換器（4）が蒸発器となるときには、第２ポートが完全に閉じられ、第３ポート側に冷媒が全て流れる。一方、暖房運転中の室内熱交換器（41）が凝縮器となるときで且つサーモオフのときには、第３ポート側が完全に閉じられ、第２ポート側に冷媒が全て流れる。
【００６９】
上記コントローラ（80）の制御により、吸入側三方切換弁（102）は、第１系統側回路が使用されないとき、すなわち、室内ユニット（1B）のみの運転時には、その第３ポートは常に閉じられる。
【００７０】
また、上記コントローラ（80）には、上記冷媒回路（1E）の能力制御手段である能力制御部（81）と、冷媒の分配制御手段である分配制御部（82）と、補助制御手段である補助制御部（83）とが設けられている。
【００７１】
上記分配制御部（82）は、室内熱交換器（41）及び室外熱交換器（4）の双方が凝縮器となる第２暖房冷凍運転時において、室温センサ（73）が検出する室内空気温度と設定室内温度との差温が予め設定された所定値（設定値０）になるように上記室内熱交換器（41）と室外熱交換器（4）とに分配される冷媒の流量を調整するために上記吐出側三方切換弁（101）の第２ポートと第３ポートとの開口量をＰＩＤ制御する。
【００７２】
具体的に、上記分配制御部（82）は、図６に示すように、室内空気温度Ｔrと設定室内温度Ｔsetと差温が予め設定された設定値１以下の場合、上記吐出側三方切換弁（101）の第２ポートを全閉とし、インバータ圧縮機（2）の吐出冷媒が全て室内熱交換器（41）に流れ、第１暖房冷凍運転が行われる。また、上記室内空気温度Ｔrと設定室内温度Ｔsetと差温が予め設定された設定値２以上となると、上記吐出側三方切換弁（101）の第２ポートが開き、インバータ圧縮機（2）の吐出冷媒が第２ポートと第３ポートとを介して室内熱交換器（41）と室外熱交換器（4）と分配される。
【００７３】
そして、上記分配制御部（82）は、吐出側三方切換弁（101）の第２ポートが開くと、室内空気温度Ｔrと設定室内温度Ｔsetと差温が設定値０になるように上記吐出側三方切換弁（101）の第２ポートと第３ポートとの開口量をＰＩＤ制御する。
【００７４】
上記能力制御部（81）は、室内熱交換器（41）のみが凝縮器となる熱回収運転時（第１暖房冷凍運転時）と室内熱交換器（41）及び室外熱交換器（4）の双方が凝縮器となる熱回収運転時（第２暖房冷凍運転時）に、上記冷蔵熱交換器（45）の冷媒温度と設定庫内温度との差温が所定値になるように上記インバータ圧縮機（2）の容量を制御して冷媒回路（1E）の冷凍能力を制御する。具体的に、上記能力制御部（81）は、冷蔵熱交換器（45）の冷媒温度Ｔeが設定庫内温度Ｔsetより１０°低くなるようにする（Ｔset−Ｔe＝１０）。
【００７５】
上記補助制御部（83）は、室内熱交換器（41）のみが凝縮器となる熱回収運転時（第１暖房冷凍運転時）において、室内熱交換器（41）及び室外熱交換器（4）の双方が凝縮器となる熱回収運転（第２暖房冷凍運転）に切り換える前に、室内熱交換器（41）の室内ファン（43）の風量を増大させる。
【００７６】
−運転動作−
次に、上記冷凍装置（1）が行う上記運転動作のうち、本発明の特徴の現れる暖房モードについてのみ説明する。
【００７７】
暖房モードは、上記コントローラ（80）の制御により、暖房運転と第１暖房冷凍運転と第２暖房冷凍運転と第３暖房冷凍運転のいずれに切り換わる。
【００７８】
〈暖房運転〉
この暖房運転は、室内ユニット（1B）の暖房のみを行う運転である。また、四路切換弁（3A）は、図２の実線で示すように、ＯＮ状態に切り換わる。吐出側三方切換弁（101）の第２ポートは閉じている。吸入側三方切換弁（102）の第３ポートは閉じている。更に、冷蔵ユニット（1C）の電磁弁（7a）及び冷凍ユニット（1D）の電磁弁（7b）が閉鎖している。
【００７９】
この状態において、インバータ圧縮機（2）から吐出した冷媒は、吐出側三方切換弁（101）の第３ポートを通って、四路切換弁（3A）から連絡ガス管（17）を経て室内熱交換器（41）に流れて凝縮する。凝縮した液冷媒は、第２連絡液管（12）を流れ、レシーバ（14）に流れる。その後、上記液冷媒は、暖房用膨張弁（104）を経て室外熱交換器（4）に流れて蒸発する。蒸発したガス冷媒は、室外ガス管（9）から四路切換弁（3A）及び吸入側三方切換弁（102）を経て、インバータ圧縮機（2）に戻る。この循環を繰り返し、室内である店内を暖房する。
【００８０】
また、上記暖房用膨張弁（104）の開度は、低圧圧力センサ（65，66）に基づく圧力相当飽和温度と吸入温度センサ（67）の検出温度によって過熱度制御される。上記室内膨張弁（42）の開度は、室内熱交換センサ（71）の検出温度に基づいて過冷却制御される。この暖房用膨張弁（104）及び室内膨張弁（42）の開度制御は、以下、暖房モードで同じである。
【００８１】
〈第１暖房冷凍運転〉
この第１暖房冷凍運転は、室外熱交換器（4）を用いず、室内ユニット（1B）の暖房と冷蔵ユニット（1C）及び冷凍ユニット（1D）の冷却を行う運転である。
【００８２】
図３の実線で示すように、四路切換弁（3A）は、ＯＮ状態に切り換わる。吸入側三方切換弁（102）の第２ポートは開いている。更に、冷蔵ユニット（1C）の電磁弁（7a）及び冷凍ユニット（1D）の電磁弁（7b）が開口する一方、暖房用膨張弁（104）が閉鎖している。
【００８３】
また、本発明の特徴として、この第１暖房冷凍運転は、図６に示すように、室内空気温度Ｔrと設定室内温度Ｔsetと差温が予め設定された設定値１以下の場合である。従って、上記分配制御部（82）は、上記吐出側三方切換弁（101）の第２ポートを全閉としている。
【００８４】
この状態において、インバータ圧縮機（2）から吐出した冷媒は、吐出側三方切換弁（101）において、全て第３ポート側に送られる。この冷媒が四路切換弁（3A）から連絡ガス管（17）を経て室内熱交換器（41）に流れて凝縮する。凝縮した液冷媒は、第２連絡液管（12）から第１連絡液管（11）を流れる。
【００８５】
上記第１連絡液管（11）を流れる液冷媒は、その一部が冷蔵膨張弁（46）を経て冷蔵熱交換器（45）に流れて蒸発する。また、上記第１連絡液管（11）を流れる他の液冷媒は、分岐液管（13）を流れ、冷凍膨張弁（52）を経て冷凍熱交換器（51）に流れて蒸発する。この冷凍熱交換器（51）で蒸発したガス冷媒は、ブースタ圧縮機（53）に吸引されて圧縮され、分岐ガス管（16）に吐出される。
【００８６】
上記冷蔵熱交換器（45）で蒸発したガス冷媒とブースタ圧縮機（53）から吐出したガス冷媒とは、低圧ガス管（15）で合流し、インバータ圧縮機（2）に戻る。この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスし、１００％の熱回収が行われる。
【００８７】
また、上記冷蔵膨張弁（46）及び冷凍膨張弁（52）の開度は、感温筒による過熱度制御が行われ、以下、各運転で同じである。
【００８８】
また、この第１暖房冷凍運転において、能力制御部（81）は、冷蔵熱交換器（45）の冷媒温度と設定庫内温度との差温が所定値になるように上記インバータ圧縮機（2）の容量を制御して冷媒回路（1E）の冷凍能力を制御する。具体的に、上記能力制御部（81）は、冷蔵熱交換器（45）の冷媒温度Ｔeが設定庫内温度Ｔsetより１０°低くなるように上記インバータ圧縮機（2）の容量を制御している（Ｔset−Ｔe＝１０）。
【００８９】
また、本発明の特徴として、この第１暖房冷凍運転は、図６に示すように、室内空気温度Ｔrと設定室内温度Ｔsetと差温が予め設定された設定値２以上になると、分配制御部（82）が、吐出側三方切換弁（101）の第２ポートを開き、第２暖房冷凍運転に切り換わるが、補助制御部（83）は、上記第１暖房冷凍運転時から第２暖房冷凍運転に切り換える前に、室内熱交換器（41）の室内ファン（43）の風量を増大させる。この結果、上記第１暖房冷凍運転が可能な限り継続されることになる。
【００９０】
〈第２暖房冷凍運転〉
この第２暖房冷凍運転は、上記第１暖房冷凍運転時に室内ユニット（1B）の暖房能力が余る暖房の能力過剰運転である。
【００９１】
図４に示すように、この第２暖房冷凍運転は、上記第１暖房冷凍運転時において、暖房能力が余る場合の熱回収運転である。
【００９２】
本発明の特徴として、この第２暖房冷凍運転は、図６に示すように、室内空気温度Ｔrと設定室内温度Ｔsetと差温が予め設定された設定値２以上となった場合である。従って、上記分配制御部（82）は、上記吐出側三方切換弁（101）の第２ポートと第３ポートとの開口量をＰＩＤ制御する。
【００９３】
具体的に、上記分配制御部（82）は、図６に示すように、室内空気温度Ｔrと設定室内温度Ｔsetと差温が予め設定された設定値１以下になると、上記吐出側三方切換弁（101）の第２ポートを全閉とし、インバータ圧縮機（2）の吐出冷媒を全て室内熱交換器（41）に流し、第１暖房冷凍運転とする。また、上記分配制御部（82）は、室内空気温度Ｔrと設定室内温度Ｔsetと差温が予め設定された設定値２以上となると、上記吐出側三方切換弁（101）の第２ポートが開き、インバータ圧縮機（2）の吐出冷媒が第２ポートと第３ポートとを介して室内熱交換器（41）と室外熱交換器（4）と分配され、第２暖房冷凍運転とする。
【００９４】
そして、この第２暖房冷凍運転において、上記分配制御部（82）は、上記吐出側三方切換弁（101）の第２ポートが開くと、室内空気温度Ｔrと設定室内温度Ｔsetと差温が設定値０になるように上記吐出側三方切換弁（101）の第２ポートと第３ポートとの開口量をＰＩＤ制御する。
【００９５】
すなわち、室内熱交換器（41）で必要な凝縮熱を与えることのできる流量の冷媒のみを、その第３ポートを通して室内熱交換器（41）に流し、凝縮する。凝縮した液冷媒は、第２連絡液管（12）を通って第１連絡液管（11）に流れる。
【００９６】
一方、インバータ圧縮機（2）から吐出した残りの冷媒は、吐出側三方切換弁（101）で第２ポートを通って室外ガス管（9）側に分配される。そして、その冷媒は、室外熱交換器（4）で凝縮する。この凝縮した液冷媒は、第１液管（10a）を流れた後、レシーバ（14）に流れ、接続液管（19）を通って第１連絡液管（11）において上記室内熱交換器（41）を通過した冷媒と合流する。
【００９７】
その後、上記第１連絡液管（11）を流れる液冷媒の一部が冷蔵熱交換器（45）に流れて蒸発する。また、上記第１連絡液管（11）を流れる他の液冷媒は、冷凍熱交換器（51）に流れて蒸発する。上記冷蔵熱交換器（45）で蒸発したガス冷媒と、冷凍熱交換器（51）で蒸発した後ブースタ圧縮機（53）から吐出されたガス冷媒とは、低圧ガス管（15）で合流し、吸入側三方切換弁（102）の第３ポートを通ってインバータ圧縮機（2）に戻る。この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスせず、余る凝縮熱のみを室外熱交換器（4）で室外に放出する。
【００９８】
また、この第２暖房冷凍運転においても、能力制御部（81）は、冷蔵熱交換器（45）の冷媒温度と設定庫内温度との差温が所定値になるように上記インバータ圧縮機（2）の容量を制御して冷媒回路（1E）の冷凍能力を制御する。具体的に、上記能力制御部（81）は、冷蔵熱交換器（45）の冷媒温度Ｔeが設定庫内温度Ｔsetより１０°低くなるように上記インバータ圧縮機（2）の容量を制御している（Ｔset−Ｔe＝１０）。
【００９９】
〈第３暖房冷凍運転〉
この第３暖房冷凍運転は、上記第１暖房冷凍運転時に室内ユニット（1B）の暖房能力が不足する暖房の能力不足運転である。つまり、蒸発熱量が不足している場合である。
【０１００】
図５の実線で示すように、四路切換弁（3A）は、ＯＮ状態に切り換わる。吐出側三方切換弁（101）の第２ポートは閉じている。吸入側三方切換弁（102）は第２ポート及び第３ポートが開いている。更に、冷蔵ユニット（1C）の電磁弁（7a）及び冷凍ユニット（1D）の電磁弁（7b）が開口している。
【０１０１】
したがって、インバータ圧縮機（2）から吐出した冷媒は、上記第１暖房冷凍運転と同様に全て室内熱交換器（41）に流れて凝縮する。凝縮した液冷媒は、第２連絡液管（12）を通って第１連絡液管（11）とレシーバ（14）とに流れる。
【０１０２】
その後、上記第１連絡液管（11）を流れる液冷媒の一部が冷蔵熱交換器（45）に流れて蒸発する。また、上記第１連絡液管（11）を流れる他の液冷媒は、冷凍熱交換器（51）に流れて蒸発する。上記冷蔵熱交換器（45）で蒸発したガス冷媒と冷凍熱交換器（51）で蒸発した後ブースタ圧縮機（53）から吐出したガス冷媒とは、低圧ガス管（15）で合流し、吸入側三方切換弁（102）の第３ポートを通ってインバータ圧縮機（2）に戻る。
【０１０３】
一方、上記レシーバ（14）側に流れ込んだ他の液冷媒は、第２液管（10b）を経て暖房用膨張弁（104）を通って室外熱交換器（4）に流れ、蒸発する。蒸発したガス冷媒は、室外ガス管（9）を流れ、四路切換弁（3A）及び吸入側三方切換弁（102）を経てインバータ圧縮機（2）に戻る。
【０１０４】
この循環を繰り返し、室内である店内を暖房すると同時に、冷蔵用のショーケースと冷凍用のショーケースである庫内を冷却する。つまり、冷蔵ユニット（1C）と冷凍ユニット（1D）との冷却能力（蒸発熱量）と、室内ユニット（1B）の暖房能力（凝縮熱量）とがバランスせず、不足する蒸発熱を室外熱交換器（4）から得る。
【０１０５】
−実施形態１の効果−
以上説明したように、上記実施形態の冷凍装置（1）によれば、分配制御部（82）によって三方切換弁（101）が、圧縮機（2）から吐出された冷媒を室内熱交換器（41）と室外熱交換器（4）とに流量を調整して分配している。このため、第２暖房冷凍運転時に冷蔵熱交換器（45）及び冷凍熱交換器（51）で吸収した熱量のうち、室内熱交換器（41）で必要な熱量のみを室内熱交換器（41）に供給し、余った熱量を室外熱交換器（4）で室外に排出することができる。したがって、圧縮機（2）の吐出圧を下げすぎることないので、快適な空調が行え、また、冷蔵熱交換器（45）及び冷凍熱交換器（51）で吸収した熱を適切に回収できるため、熱効率を格段に向上させることができる。
【０１０６】
また、上記室内熱交換器（41）と室外熱交換器（4）との冷媒分配量を制御するので、室内熱交換器（41）の能力の微調整を行うことができることから、より快適な空調を行うことができる。
【０１０７】
また、上記能力制御部（81）が第１暖房冷凍運転時及び第２暖房冷凍運転時における冷媒回路（1E）の冷凍能力を制御するので、冷蔵熱交換器（45）及び冷凍熱交換器（51）の低圧冷媒圧力を確実に所定値に保つことができることから、冷蔵熱交換器（45）及び冷凍熱交換器（51）の能力を確実に発揮させることができる。
【０１０８】
また、上記補助制御部（83）によって室内熱交換器（41）のみが凝縮器となる第１暖房冷凍運転を可能な限り継続させることができる。
【０１０９】
《実施形態２》
本実施形態は、実施形態１の分配制御部（82）が室内空気温度と設定室内温度との差温に基づたのに代わり、分配制御部（82）が冷媒回路（1E）の高圧冷媒圧力に基づくようにしたものである。
【０１１０】
具体的に、上記分配制御部（82）は、室内熱交換器（41）及び室外熱交換器（4）の双方が凝縮器となる第２暖房冷凍運転時において、図６に示すように、吐出温度センサ（62）が検出する高圧冷媒温度ＨＰが所定値（設定値０）になるように上記室内熱交換器（41）と室外熱交換器（4）とに分配される冷媒の流量を調整するために上記吐出側三方切換弁（101）の第２ポートと第３ポートとの開口量をＰＩＤ制御する。
【０１１１】
具体的に、上記分配制御部（82）は、図６に示すように、高圧冷媒温度ＨＰが予め設定された設定値１以下の場合、上記吐出側三方切換弁（101）の第２ポートを全閉とし、インバータ圧縮機（2）の吐出冷媒が全て室内熱交換器（41）に流れ、第１暖房冷凍運転が行われる。また、上記高圧冷媒温度ＨＰが予め設定された設定値２以上となると、上記吐出側三方切換弁（101）の第２ポートが開き、インバータ圧縮機（2）の吐出冷媒が第２ポートと第３ポートとを介して室内熱交換器（41）と室外熱交換器（4）と分配される。
【０１１２】
そして、上記分配制御部（82）は、吐出側三方切換弁（101）の第２ポートが開くと、高圧冷媒温度ＨＰが設定値０になるように上記吐出側三方切換弁（101）の第２ポートと第３ポートとの開口量をＰＩＤ制御する。能力制御部（81）などその他の構成、作用及び効果は実施形態１と同様である。
【０１１３】
《実施形態３》
本実施形態は、実施形態１の分配制御部（82）が室内空気温度と設定室内温度との差温に基づたのに代わり、分配制御部（82）が冷媒回路（1E）の液冷媒温度に基づくようにしたものである。
【０１１４】
具体的に、上記分配制御部（82）は、室内熱交換器（41）及び室外熱交換器（4）の双方が凝縮器となる第２暖房冷凍運転時において、図６に示すように、室内熱交換センサ（71）が検出する液冷媒温度ＴＬ（室内凝縮温度）が所定値（設定値０）になるように上記室内熱交換器（41）と室外熱交換器（4）とに分配される冷媒の流量を調整するために上記吐出側三方切換弁（101）の第２ポートと第３ポートとの開口量をＰＩＤ制御する。
【０１１５】
具体的に、上記分配制御部（82）は、図６に示すように、液冷媒温度ＴＬが予め設定された設定値１以下の場合、上記吐出側三方切換弁（101）の第２ポートを全閉とし、インバータ圧縮機（2）の吐出冷媒が全て室内熱交換器（41）に流れ、第１暖房冷凍運転が行われる。また、上記液冷媒温度ＴＬが予め設定された設定値２以上となると、上記吐出側三方切換弁（101）の第２ポートが開き、インバータ圧縮機（2）の吐出冷媒が第２ポートと第３ポートとを介して室内熱交換器（41）と室外熱交換器（4）と分配される。
【０１１６】
そして、上記分配制御部（82）は、吐出側三方切換弁（101）の第２ポートが開くと、液冷媒温度ＴＬが設定値０になるように上記吐出側三方切換弁（101）の第２ポートと第３ポートとの開口量をＰＩＤ制御する。能力制御部（81）などその他の構成、作用及び効果は実施形態１と同様である。
【０１１７】
《実施形態４》
本実施形態は、実施形態１の能力制御部（81）が冷蔵熱交換器（45）の冷媒温度に基づいてインバータ圧縮機（2）を制御するようにしたのに代わり、能力制御部（81）が冷蔵熱交換器（45）の冷媒圧力Ｐeの相当飽和温度に基づいてインバータ圧縮機（2）を制御するように構成されている。
【０１１８】
具体的に、上記能力制御部（81）は、室内熱交換器（41）のみが凝縮器となる第１暖房冷凍運転時と室内熱交換器（41）及び室外熱交換器（4）の双方が凝縮器となる第２暖房冷凍運転時とに、上記冷蔵熱交換器（45）の冷媒圧力Ｐeの相当飽和温度と設定庫内温度との差温が所定値になるように上記インバータ圧縮機（2）の容量を制御して冷媒回路（1E）の冷凍能力を制御する。具体的に、上記能力制御部（81）は、冷蔵熱交換器（45）の冷媒圧力Ｐeの相当飽和温度が設定庫内温度Ｔsetより１０°低くなるようにする（Ｔset−Ｐeの相当飽和温度＝１０）。分配制御部（82）などその他の構成、作用及び効果は実施形態１と同様である。
【０１１９】
《実施形態５》
本実施形態は、実施形態１の能力制御部（81）が冷蔵熱交換器（45）の冷媒温度に基づいてインバータ圧縮機（2）を制御するようにしたのに代わり、能力制御部（81）が冷蔵熱交換器（45）の吸込空気温度に基づいてインバータ圧縮機（2）を制御するように構成されている。
【０１２０】
具体的に、上記能力制御部（81）は、室内熱交換器（41）のみが凝縮器となる第１暖房冷凍運転時と室内熱交換器（41）及び室外熱交換器（4）の双方が凝縮器となる第２暖房冷凍運転時とに、上記冷蔵熱交換器（45）の吸込空気温度と設定庫内温度との差温が所定値になるように上記インバータ圧縮機（2）の容量を制御して冷媒回路（1E）の冷凍能力を制御する。具体的に、上記能力制御部（81）は、冷蔵熱交換器（45）の吸込空気温度Ｔrが設定庫内温度Ｔsetになるようにする（Ｔset−Ｐeの相当飽和温度＝０）。分配制御部（82）などその他の構成、作用及び効果は実施形態１と同様である。
【０１２１】
《実施形態６》
本実施形態は、実施形態１の能力制御部（81）がインバータ圧縮機（2）の容量を制御するようにしたのに代わり、能力制御部（81）が冷蔵熱交換器（45）の冷蔵ファン（47）及び冷凍熱交換器（51）の冷凍ファン（58）の風量を制御するように構成されている。
【０１２２】
具体的に、上記能力制御部（81）が冷蔵熱交換器（45）の冷蔵ファン（47）及び冷凍熱交換器（51）の冷凍ファン（58）の風量を制御して冷媒回路（1E）の能力を制御し、冷蔵熱交換器（45）及び冷凍熱交換器（51）が所定の冷却能力を発揮させる。分配制御部（82）などその他の構成、作用及び効果は実施形態１と同様である。
【０１２３】
《実施形態７》
本実施形態は、実施形態１の能力制御部（81）がインバータ圧縮機（2）の容量を制御するようにしたのに代わり、能力制御部（81）がインバータ圧縮機（2）の吐出側と吸入側とをバイパスさせるように構成したものである。
【０１２４】
本実施形態は、図７に示すように、インバータ圧縮機（2）の吐出管（5）と吸入管（6）との間に補助通路（90）が接続されている。該補助通路（90）には、開閉機構である開度可変の補助弁（91）が設けられている。そして、上記能力抑制部が補助弁（91）の開度を調整して補助通路（90）の冷媒流量を制御するように構成されている。分配制御部（82）などその他の構成、作用及び効果は実施形態１と同様である。
【０１２５】
《実施形態８》
本実施形態は、実施形態１の流量調整手段を吐出側三方切換弁（101）で構成したのに代わり、流量調整手段を開度可変な電動弁で構成したものである。
【０１２６】
具体的に、本実施形態は、図８に示すように、インバータ圧縮機（2）の吐出管（5）が分岐され、該インバータ圧縮機（2）の吐出管（5）と四路切換弁（3A）の第１ポートとを繋ぐ配管に第１電磁弁（101a）が設けられ、インバータ圧縮機（2）の吐出管（5）と室外熱交換器（4）のガス側端部とを繋ぐ配管に第２電磁弁（101b）が設けられている。そして、分配制御部（82）は、上記第１電磁弁（101a）と第２電磁弁（101b）との開口量をＰＩＤ制御し、インバータ圧縮機（2）の吐出冷媒が室内熱交換器（41）と室外熱交換器（4）と分配される。能力制御部（81）などその他の構成、作用及び効果は実施形態１と同様である。
【０１２７】
《その他の実施形態》
本発明は、上記実施形態１〜７について、以下のような構成としてもよい。
【０１２８】
すなわち、上記実施形態では、吐出側三方切換弁（101）を流量調整可能なものとして流量調整手段を構成したが、流量調整機能のない簡単な構造の三方切換弁（101）としてもよい。この場合には、流量調整手段が三方切換弁（101）と暖房用膨張弁（104）とで構成され、熱回収運転時に下流側となる端部に接続された暖房用膨張弁（104）の開き具合の調整によって、圧縮機（2）から吐出された冷媒を室内熱交換器（41）と室外熱交換器（4）とに適量に分配してもよい。この場合、流量調整機能のない簡単な構造の四方切換弁を流量調整手段としてもよく、いずれの場合にも、上記実施形態と同様に効率のよい冷凍装置（1）が得られる。
【０１２９】
また、上記実施形態８において、第２電磁弁（101b）に代えて、上述したように暖房用膨張弁（104）を適用してもよい。
【０１３０】
また、上記実施形態２に実施形態３〜７の能力制御部（81）を適用してもよく、上記実施形態８の流量調整手段に実施形態２の分配制御部（82）又は実施形態３〜７の能力制御部（81）を適用してもよい。
【０１３１】
また、上記実施形態１〜８において、補助制御部（82）は、室内熱交換器（41）のみが凝縮器となる熱回収運転時（第１暖房冷凍運転時）から室内熱交換器（41）及び室外熱交換器（4）の双方が凝縮器となる熱回収運転（第２暖房冷凍運転）に切り換える前に、室内の換気扇を運転させるようにしてもよい。
【産業上の利用可能性】
【０１３２】
以上説明したように、本発明は、コンビニエンスストアやスーパーマーケットなどに用いられる空調熱交換器と冷却熱交換器とを備えた冷凍装置について有用である。
【図面の簡単な説明】
【０１３３】
【図１】実施形態１に係る冷凍装置の冷媒回路を示す回路図である。
【図２】実施形態１の暖房運転時の冷媒流れを示す冷媒回路図である。
【図３】実施形態１の第１暖房冷凍運転時の冷媒流れを示す冷媒回路図である。
【図４】実施形態１の第２暖房冷凍運転時の冷媒流れを示す冷媒回路図である。
【図５】実施形態１の第３暖房冷凍運転時の冷媒流れを示す冷媒回路図である。
【図６】実施形態１の分配制御部の制御動作を示す説明図である。
【図７】実施形態７の補助通路を用いた冷媒回路図である。
【図８】実施形態８の流量調整手段を用いた冷媒回路図である。
【符号の説明】
【０１３４】
１            冷凍装置
１Ｅ          冷媒回路
２            圧縮機
４            室外熱交換器（熱源側熱交換器）
４Ｆ          室外ファン（熱源ファン）
５            吐出管
４１          室内熱交換器（空調熱交換器）
４３          室内ファン（空調ファン）
４５          冷蔵熱交換器（冷却熱交換器）
４７          冷蔵ファン（冷却ファン）
５１          冷凍熱交換器（冷却熱交換器）
５８          冷凍ファン（冷却ファン）
１０１        三方切換弁
１０４        膨張弁
８０          コントローラ（制御手段）
８１          能力制御部（能力制御手段）
８２          分配制御部（分配制御手段）
８３          補助制御部（補助制御手段）
９０          補助通路
９１          補助弁
１０１ａ，１０１ｂ    電動弁
【図１】
2007232265.tif 000003
【図２】
2007232265.tif 000004
【図３】
2007232265.tif 000005
【図４】
2007232265.tif 000006
【図５】
2007232265.tif 000007
【図６】
2007232265.tif 000008
【図７】
2007232265.tif 000009
【図８】
2007232265.tif 000010